(57)【要約】【課題】棒状物品の移動／転載装置を提供する。【解決手段】棒状物品の移動／転載装置はベース部、伝動ユニット、移動ユニットを含む。該ベース部の所定の位置に該伝動ユニットが設置され、該伝動ユニットは少なくともアクチュエーター、該アクチュエーターと連接する軸棒、該軸棒片側に対応し連接する伝導棒を含む。該移動ユニットは少なくともサポート板及び移動板を含み、該サポート板は該ベース部上に固定され、該移動板は該サポート板片側に対応設置する。また該移動板は該伝動棒と連接し、該各サポート板及び移動板の端面上にはそれぞれ鋸歯部を備える。これにより、該伝動ユニットは該移動ユニットと連動し、該移動ユニット上の棒状物品は該サポート板及び該移動板の対応を利用し、オートメーション方式により逐一移動、転載される。【選択図】図１
0003136447.tif 000002
【実用新案登録請求の範囲】
【請求項１】
主に棒状物品の移動／転載装置であって、ベース部、伝動ユニット、移動ユニットを含み、
該伝動ユニットは該ベース部の所定の位置に設置され、少なくともアクチュエーター、該アクチュエーターと連接する軸棒、及び該軸棒片側に配置され、連接する伝導棒を含み、
該移動ユニットは少なくとも該ベース部上に固定されるサポート板、及び該サポート板片側に対応設置され、該伝動棒と連接する移動板を含み、該各サポート板及び移動板の端面上にはそれぞれ鋸歯部を備えることを特徴とする棒状物品の移動／転載装置。
【請求項２】
前記伝動ユニットの軸棒上には第一ハイポイド歯車が設置され、該伝動棒は該軸棒片側に横方向に設置され、該伝動棒の一端は該第一ハイポイド歯車と噛み合う第二ハイポイド歯車を備えることを特徴とする請求項１記載の棒状物品の移動／転載装置。
【請求項３】
前記伝動棒は少なくともベアリング台、該ベアリング台と連接する偏心軸、該偏心軸と連接するカップリング、及び該カップリングと連接する連動軸を含むことを特徴とする請求項１記載の棒状物品の移動／転載装置。
【考案の詳細な説明】
【技術分野】
【０００１】
本考案は一種の棒状物品の移動／転載装置に関する。特に一種の棒状物品をオートメーション方式により逐一移動、転載させることができる棒状物品の移動／転載装置に係る。
【背景技術】
【０００２】
一般に棒状物品（冷陰極管など）を製作する時、或いは製作完成後に移動させる時には、関連する製造工程、或いは後行程における使用の便を図るため、通常は人手によりこれを行う。そしてこの後に多数の関連する製造工程を行い、或いは既に前段製造工程を完成した棒状物品を逐一或いは段階的に移動させ、後続の関連する工程での使用の利便性を確保する。
【０００３】
公知の人手による方式は棒状物品（冷陰極管など）を逐一或いは段階的に後続の関連する製造工程に移動させ使用することができるが、人手による方式で棒状物品（冷陰極管など）の移動を行う時は、力の加え過ぎ、或いは移動途中の事故などにより、棒状物品を損壊、落下或いは断裂させてしまうことがある。しかも人手による移動／転載の方式はコスト及び移動時間を増加させ、歩留り低下とコスト増加の状況を招いている。よって、公知の人手による移動転載の方式は実際の製造工程上の必要を満たしていない。
【考案の開示】
【考案が解決しようとする課題】
【０００４】
本考案が解決しようとする課題は、伝動ユニットにより移動ユニットを連動させ、該移動ユニット上の棒状物品がサポート板及び移動板の連係動作を利用し、オートメーション方式により逐一移動、転載される棒状物品の移動／転載装置を提供することである。
【課題を解決するための手段】
【０００５】
該課題を解決するため、本考案は下記の棒状物品の移動／転載装置を提供する。
それは主に棒状物品の移動／転載装置で、ベース部、伝動ユニット、移動ユニットを含み、
該ベース部の所定の位置には伝動ユニットを設置し、該伝動ユニットは少なくともアクチュエーター、該アクチュエーターと連接する軸棒、及び該軸棒片側に対応し連接する伝導棒を含み、
該移動ユニットは少なくともサポート板及び移動板を含み、該サポート板は該ベース部上に固定され、該移動板は該サポート板片側に対応設置され、該移動板は該伝動棒と連接し、しかも該各サポート板及び該移動板の端面上にはそれぞれ鋸歯部を備える。
【考案の効果】
【０００６】
上記のように、本考案棒状物品の移動／転載装置は公知の種々の欠点改善に有効であり、該伝動ユニットは該移動ユニットを連動し、該移動ユニット上の棒状物品は該サポート板及び該移動板の対応を利用し、オートメーション方式により逐一移動、転載される。
【考案を実施するための最良の形態】
【０００７】
本考案の立体指示図及び本考案の俯瞰状態指示図である図１、２に示すように、本考案棒状物品の移動／転載装置は少なくともベース部１、伝動ユニット２及び移動ユニット３により構成され、該伝動ユニット２が該移動ユニット３と連動することで該移動ユニット３上の棒状物品はオートメーション方式により逐一移動、転載される。
【０００８】
該ベース部１は多数のサポートフレーム１１及び側板１２により構成される。
【０００９】
該伝動ユニット２は該ベース部１片側の所定の位置に設置され、しかも該伝動ユニット２はアクチュエーター２１、該アクチュエーター２１と連接し、しかも少なくとも２個の第一ハイポイド歯車２２１を備える軸棒２２、及び少なくとも２個の該軸棒２２片側に横方向に対応し連接する伝動棒２３を含む。
【００１０】
該伝動棒２３は少なくともベアリング台２３１、該ベアリング台２３１と連接する偏心軸２３２、該偏心軸２３２と連接するカップリング２３３、及び該カップリング２３３と連接する連動軸２３４を含む。しかも該伝動棒２３のベアリング台２３１一端は該第一ハイポイド歯車２２１と噛み合う第二ハイポイド歯車２３５を備える。
【００１１】
該各移動ユニット３は少なくとも該ベース部１上に固定される少なくとも２個のサポート板３１、及び該サポート板３１片側に対応設置され、しかも該伝動棒２３が備える該連動軸２３４と連接する少なくとも２個の移動板３２を含む。該各サポート板３１及び該移動板３２の端面上にはそれぞれ鋸歯部３１１、３２１を備える。こうして、上記構造により全く新しい棒状物品の移動／転載装置を構成する。
【００１２】
本考案の正面状態指示図、本考案の側面状態指示図及び本考案移動ユニットの動作指示図である図３、４、５、６に示すように、本考案の使用時には、多数の棒状物品４（冷陰極管など）を直接設置することができる。
【００１３】
該多数の棒状物品４（冷陰極管など）を前段製造工程より該移動ユニット３が設置する各サポート板３１及び移動板３２の鋸歯部３１１、３２１中に受け取った後、該伝動ユニット２を起動すると、該アクチュエーター２１の動力が該軸棒２２に伝動する。該軸棒２２上の第一ハイポイド歯車２２１はこれに対応し、同時に該伝動棒２３一端の第二ハイポイド歯車２３５を連動し、該伝動棒２３のベアリング台２３１を回転させる。そして該偏心軸２３２及び該カップリング２３３に対応し該連動軸２３４を連動し、該移動ユニット３の各移動板３２はこれに従い連動し、上、下、前、後の連続動作を行う（但し、サポート板３１は不動）。
【００１４】
該各移動板３２が該偏心軸２３２のカップリング２３３及び該連動軸２３４の作動に連動する時、該移動板３２は先ず該棒状物品４の底部を支持しながら上方へと移動し、次に下方へと移動する。移動板３２は、最低点に至ると、再び上方へ向かい、同時に前方へと移動する。これにより該各移動板３２は棒状物品４を該鋸歯部３１１、３２１によって押し、元の位置から前方へと移動させる。このようなサイクルで、該各移動板３２は上、下、前、後の連続動作を繰り返し、該サポート板３１と連携した動きをすることで、該棒状物品４はオートメーション方式により逐一移動、転載され、移動／転載装置と連接する後行程設備（図示なし）へと伝送される。
【図面の簡単な説明】
【００１５】
【図１】本考案の立体指示図である。
【図２】本考案の俯瞰状態指示図である。
【図３】本考案の正面状態指示図である。
【図４】本考案の側面状態指示図である。
【図５】本考案移動ユニットの動作指示図である。
【図６】本考案移動ユニットの動作指示図である。
【符号の説明】
【００１６】
１             ベース部
１１           サポートフレーム
１２           側板
２             伝動ユニット 
２１           アクチュエーター
２２           軸棒
２２１         第一ハイポイド歯車
２３           伝動棒   
２３１          ベアリング台
２３２          偏心軸
２３３          カップリング
２３４          連動軸
２３５          第二ハイポイド歯車
３              移動ユニット    
３１            サポート板  
３１１、３２１  鋸歯部
３２            移動板
４              棒状物品    
【図１】
0003136447.tif 000003
【図２】
0003136447.tif 000004
【図３】
0003136447.tif 000005
【図４】
0003136447.tif 000006
【図５】
0003136447.tif 000007
【図６】
0003136447.tif 000008